(57)【要約】【課題】支持構造体に対する座の組付け作業性を向上させることができる椅子を提供する。【解決手段】椅子１０は、上方を向いて着座者の荷重を受ける座面１２ａを有する座１２と、座１２を支持する支持構造体２０と、を備えている。支持構造体２０は、座１２の椅子幅方向外側領域に結合される座支持部材を備えている。座１２は、椅子幅方向外側領域に、椅子幅方向外側に向かって開口し座支持部材が嵌合される凹部２４を有している。凹部２４には、座面１２ａを上方に向けた姿勢の座１２の下方変位を座支持部材によって規制される下方変位規制部が設けられている。【選択図】図２
2018033590.tif 000002
【特許請求の範囲】
【請求項１】
上方を向いて着座者の荷重を受ける座面を有する座と、
前記座を支持する支持構造体と、を備え、
前記支持構造体は、前記座の椅子幅方向外側領域に結合される座支持部材を有し、
前記座は、椅子幅方向外側領域に、椅子幅方向外側に向かって開口し前記座支持部材が嵌合される凹部を有し、
前記凹部には、前記座面を上方に向けた姿勢の前記座の下方変位を前記座支持部材によって規制される下方変位規制部が設けられていることを特徴とする椅子。
【請求項２】
前記凹部には、前記座面を上方に向けた姿勢の前記座の椅子後方側への変位を前記座支持部材によって規制される後方変位規制部が設けられていることを特徴とする請求項１に記載の椅子。
【請求項３】
前記凹部は、前記座が前記座面を上方に向けた状態において、下面が前記座支持部材の上面と当接可能な天井壁と、該天井壁の椅子前方側に連設されて前記座支持部材の椅子前方側の端部と当接可能な端部壁と、を有し、前記天井壁が前記下方変位規制部を構成し、前記端部壁が前記後方変位規制部を構成していることを特徴とする請求項２に記載の椅子。
【請求項４】
前記凹部は、前記端部壁に連設されて、前記座が前記座面を上方に向けた状態において、前記座支持部材の下面と当接可能な底部壁を有し、
前記凹部は、前記底部壁と前記天井壁の離間幅が前記端部壁の側に向かって狭まる側面視形状とされており、
前記座支持部材は、前記凹部の側面視形状と略合致する側面視形状の嵌合部を有していることを特徴とする請求項３に記載の椅子。
【請求項５】
前記座支持部材は、前記支持構造体の本体部に対し、前記座の椅子幅方向に沿う軸線回りに回動可能に支持されているとともに、前記後方変位規制部との当接部が椅子前方を向く第１の姿勢位置と、前記後方変位規制部との当接部が上方を向く第２の姿勢位置において回動規制とされていることを特徴とする請求項２〜４のいずれか１項に記載の椅子。
【請求項６】
前記座支持部材は、前記座の椅子幅方向外側の端面に略沿って起立するベース壁と、前記ベース壁から椅子幅方向内側に向かって延出する内向きフランジと、を備え、
前記凹部には、前記座支持部材の前記内向きフランジが挿入される挿入溝が形成され、
前記挿入溝の内面が前記下方変位規制部を構成していることを特徴とする請求項１〜５のいずれか１項に記載の椅子。
【請求項７】
前記座支持部材は、前記座の椅子幅方向外側の端面に略沿って起立するベース壁と、前記ベース壁から椅子幅方向内側に略Ｌ字状に屈曲する屈曲壁と、を備え、
前記凹部は、前記座面を上方に向けた姿勢の前記座の後方側で前記屈曲壁の前面が当接する当接面を有し、
前記当接面は、前記座面を上方に向けた姿勢の前記座の椅子後方側への変位を規制される後方変位規制部を構成していることを特徴とする請求項１〜６のいずれか１項に記載の椅子。
【発明の詳細な説明】
【技術分野】
【０００１】
本発明は、上方を向く座面を有する座と、座を支持する支持構造体とを備えた椅子に関するものである。
【背景技術】
【０００２】
この種の椅子として、着座者の荷重を受ける座が、座の下面側において支持構造体の座フレームにボルト締結等によって結合されたものが知られている（例えば、特許文献１参照）。
【０００３】
このような椅子においては、座の組付け時に組み付け作業者が座の下方に屈み込んで、支持構造体に対する座の結合作業を行わなければならないため、組付け作業者に困難な組付け作業を強いることになる。
【０００４】
座の組付け作業性を改善した椅子として、支持構造体に対する座の結合作業を座の椅子幅方向外側から行えるようにしたものが案出されている（例えば、特許文献２参照）。
【０００５】
特許文献２に記載の椅子は、座と背凭れを支持する支持構造体の上部に、座支持部材である座支持ブラケットが設けられ、その座支持ブラケットが座の椅子幅方向外側の端面に、椅子幅方向外側からボルト締結されるようになっている。座の椅子幅方向外側の端面には、椅子幅方向外側と上方に開口する溝が形成されており、座に対する座支持ブラケットのボルト締結時に、その溝に座支持ブラケットが嵌合されるようになっている。特許文献２に記載の椅子においては、座の椅子幅方向外側の溝に座支持ブラケットを嵌合し、その状態において、組み付け作業者が座の椅子幅方向外側から座支持ブラケットを座にボルト締結することができる。
【先行技術文献】
【特許文献】
【０００６】
【特許文献１】実公昭６２−０００５１７号公報
【特許文献２】特許第４５９４８４９号公報
【発明の概要】
【発明が解決しようとする課題】
【０００７】
しかしながら、特許文献２に記載の椅子においては、座支持ブラケットを座の椅子幅方向外側から座に対して締結固定できるようになるものの、座支持ブラケットを座に締結する際には、組付け作業者が、座面が上を向くように座を座支持ブラケットに位置決めした状態のまま座を手で支えなければならない。このため、特許文献２に記載の椅子においては、座に対する座支持ブラケット（座支持部材）の締結作業が難しく、組付け作業性のさらなる改善が望まれている。
【０００８】
そこで本発明は、支持構造体に対する座の組付け作業性を向上させることができる椅子を提供しようとするものである。
【課題を解決するための手段】
【０００９】
本発明に係る椅子は、上記課題を解決するために、以下の構成を採用した。
本発明に係る椅子は、上方を向いて着座者の荷重を受ける座面を有する座と、前記座を支持する支持構造体と、を備え、前記支持構造体は、前記座の椅子幅方向外側領域に結合される座支持部材を有し、前記座は、椅子幅方向外側領域に、椅子幅方向外側に向かって開口し前記座支持部材が嵌合される凹部を有し、前記凹部には、前記座面を上方に向けた姿勢の前記座の下方変位を前記座支持部材によって規制される下方変位規制部が設けられていることを特徴とする。
【００１０】
上記の構成により、座面を上方に向けた姿勢の座を座支持部材に取り付ける場合には、座の椅子幅方向外側領域の凹部に座支持部材を嵌合することにより、凹部の下方変位規制部が座支持部材に当接して座の下方変位を規制されることになる。組付け作業者は、この状態のまま座の椅子幅方向外側位置において、座支持部材の位置を目視確認しつつ座支持部材を座に対して結合することができる。
【００１１】
前記凹部には、前記座面を上方に向けた姿勢の前記座の椅子後方側への変位を前記座支持部材によって規制される後方変位規制部が設けられるようにしても良い。
この場合、座面を上方に向けた姿勢の座を座支持部材に取り付ける場合には、座の椅子幅方向外側領域の凹部に座支持部材を嵌合することにより、凹部の下方変位規制部が座支持部材に当接して座の下方変位を規制されるとともに、凹部の後方変位規制部が座支持部材に当接して座の後方側への変位を規制されることになる。このため、組付け作業者は、座の下方変位規制部と後方変位規制部を座支持部材に当接させることにより、座支持部材を座に位置決めしてより容易に結合することができる。
【００１２】
前記凹部は、前記座が前記座面を上方に向けた状態において、下面が前記座支持部材の上面と当接可能な天井壁と、該天井壁の椅子前方側に連設されて前記座支持部材の椅子前方側の端部と当接可能な端部壁と、を有し、前記天井壁が前記下方変位規制部を構成し、前記端部壁が前記後方変位規制部を構成するようにしても良い。
この場合、座の下方変位規制部と後方変位規制部とが、座の椅子幅方向外側領域で相互に連続する天井壁と端部壁とによって構成されるため、下方変位規制部と後方変位規制部とを堅牢な構造とすることができる。
【００１３】
前記凹部は、前記端部壁に連設されて、前記座が前記座面を上方に向けた状態において、前記座支持部材の下面と当接可能な底部壁を有し、前記凹部は、前記底部壁と前記天井壁の離間幅が前記端部壁の側に向かって狭まる側面視形状とされており、前記座支持部材は、前記凹部の側面視形状と略合致する側面視形状の嵌合部を有する構成であっても良い。
この場合、座を支持構造体に組み付けるときには、座支持部材が凹部の端部壁に近接するように、座の凹部に座支持部材が挿入されることにより、凹部の天井壁と底部壁に対する座支持部材の離間幅が次第に狭まる。これにより、座支持部材を凹部内の適正な嵌合位置に誘導することが可能になる。また、座を支持構造体から取り外す場合には、座に対する座支持部材の結合を解除した後に、座支持部材が凹部の端部壁から離反するように、座の凹部から座支持部材が引き出されることにより、凹部の天井壁と底部壁に対する座支持部材の離間幅が次第に拡がる。これにより、座の天井壁と底部壁が座支持部材から次第に離間し、座を座支持部材から容易に取り外すことが可能になる。
【００１４】
前記座支持部材は、前記支持構造体の本体部に対し、前記座の椅子幅方向に沿う軸線回りに回動可能に支持されているとともに、前記後方変位規制部との当接部が椅子前方を向く第１の姿勢位置と、前記後方変位規制部との当接部が上方を向く第２の姿勢位置において回動規制されるようにしても良い。
この場合、座支持部材が第１の姿勢位置にあるときには、座の凹部内の下方変位規制部が座支持部材に当接することにより、座の下方変位が規制されることになる。また、座支持部材が第２の姿勢位置にあるときには、座の凹部内の後方変位規制部が座支持部材に当接することにより、座の下方変位が規制されることになる。したがって、座支持部材が第１の姿勢位置と第２の姿勢位置のいずれの位置にあるときにも、座を座支持部材に対して容易に組み付けることが可能になる。
【００１５】
前記座支持部材は、前記座の椅子幅方向外側の端面に略沿って起立するベース壁と、前記ベース壁から椅子幅方向内側に向かって延出する内向きフランジと、を備え、前記凹部には、前記座支持部材の前記内向きフランジが挿入される挿入溝が形成され、前記挿入溝の内面が前記下方変位規制部を構成するようにしても良い。
この場合、座面を上方に向けた姿勢の座を座支持部材に取り付けるときには、座支持部材の内向きフランジを凹部内の挿入溝に挿入することにより、座の下方変位を容易に規制することができる。
【００１６】
前記座支持部材は、前記座の椅子幅方向外側の端面に略沿って起立するベース壁と、前記ベース壁から椅子幅方向内側に略Ｌ字状に屈曲する屈曲壁と、を備え、前記凹部は、前記座面を上方に向けた姿勢の前記座の後方側で前記屈曲壁の前面が当接する当接面を有し、前記当接面は、前記座面を上方に向けた姿勢の前記座の椅子後方側への変位を規制される後方変位規制部を構成するようにしても良い。
この場合、座面を上方に向けた姿勢の座を座支持部材に取り付けるときには、座支持部材の屈曲壁の前面が凹部内の当接面に当接することにより、座の後方変位が規制されることになる。
【発明の効果】
【００１７】
本発明によれば、座の椅子幅方向外側領域の凹部に座支持部材が嵌合されることにより、凹部の下方変位規制部が座支持部材に当接して座の下方変位が規制されるため、組付け作業者が座を大きな力で支えることなく、座支持部材の位置を椅子幅方向外側から目視確認しつつ、座支持部材を座に容易に結合することができる。したがって、本発明によれば、支持構造体に対する座の組付け作業性を向上させることができる。
【図面の簡単な説明】
【００１８】
【図１】本発明の一実施形態に係る椅子の斜視図である。
【図２】本発明の一実施形態に係る椅子の分解斜視図である。
【図３】本発明の一実施形態に係る椅子の側面図である。
【図４】本発明の一実施形態に係る椅子の図３のＩＶ−ＩＶ線に沿う断面図である。
【図５】本発明の一実施形態に係る椅子を図３のＶ−Ｖ線に沿って一部を破断した部分断面斜視図である。
【図６】本発明の一実施形態に係る椅子の図３のＶ−Ｖ線に沿う断面図である。
【図７】本発明の一実施形態に係る椅子の模式的な側面図である。
【図８】本発明の一実施形態に係る椅子の模式的な側面図である。
【発明を実施するための形態】
【００１９】
以下、本発明の一実施形態を図面に基づいて説明する。
本実施形態に係る椅子１０は、競技場や劇場、講堂等に設置される椅子である。なお、以下の椅子１０の説明において、前後、左右、上下の各呼称は、特別に断らない限り、着座者が椅子１０に正規姿勢で着座したときにおける着座者を中心とした向きと合致する向きを意味するものとする。
なお、図面の適所には、着座者を中心とした上方、前方、左側方を指す矢印ＵＰ，ＦＲ，ＬＨが記されている。
【００２０】
図１は、競技場の段床等の床面１に設置された本実施形態に係る椅子１０を前側左斜め上方から見た図であり、図２は、椅子１０を分解して前側左斜め上方から見た図である。図３は、椅子１０を左側方から見た図である。また、図４は、椅子１０の図３のＩＶ−ＩＶ線に沿う断面図であり、図５は、図３のＶ−Ｖ線に沿って一部を破断した椅子１０を前側左斜め上方から見た図である。図６は、椅子１０の図３のＶ−Ｖ線に沿う断面図である。
本実施形態の場合、椅子１０は、図１に示すように、複数個が組になって横並びに配置されている。組をなす複数の椅子１０は、矩形状の断面形状が左右方向に延出する金属製の梁部材２に支持固定されている。梁部材２は、複数の支柱３を介して床面１に固定設置されている。梁部材２と複数の支柱３は、複数個の椅子１０を床面１に設置する設置ベースを構成している。
【００２１】
椅子１０は、着座者の背部及び腰部を支持する背凭れ１１と、着座者の臀部及び腿部を支持する座１２と、背凭れ１１と座１２を椅子幅方向両側において支持する一対の支持構造体２０と、を備えている。各支持構造体２０は、梁部材２に固定設置された側部フレーム１３と、側部フレーム１３に回動自在に支持された座支持ブラケット１６（座支持部材）と、を備えている。側部フレーム１３は、支持構造体２０の本体部を構成している。
【００２２】
側部フレーム１３は、下端が梁部材２に嵌合固定される脚部１３ａと、脚部１３ａの上端部から後部上方に傾斜した後に上方に起立する背凭れ支持部１３ｂと、を有している。脚部１３ａの上端部の椅子幅方向の内側部分には、図２に示すように、ベースプレート１４が取り付けられている。ベースプレート１４には、椅子幅方向に沿う支軸１５が椅子幅方向内側に向かって突設されている。支軸１５には、座１２の椅子幅方向外側の端部（椅子幅方向外側領域）に結合される座支持ブラケット１６が回動自在に支持されている。座支持ブラケット１６は、座１２の椅子幅方向外側の端部に一体に結合されるようになっている。
【００２３】
座支持ブラケット１６は、座１２の椅子幅方向外側の端面に略沿って起立するベース壁１６ａを有している。ベース壁１６ａは、座１２の椅子幅方向外側の端面に沿うように一方向に長く延出する台形状の側面視形状に形成されている。ベース壁１６ａの延出方向の一端側には、挿通孔１７ａを有する回動規制ブロック１７が一体に固定されている。回動規制ブロック１７の挿通孔１７ａには、ベースプレート１４の支軸１５が挿通されるようになっている。
【００２４】
ベースプレート１４の座支持ブラケット１６に臨む側の面には、支軸１５を間に挟むように一対のストッパ突起１８が突設されている。座支持ブラケット１６は、回動規制ブロック１７がベースプレート１４側のストッパ突起１８と当接することによって回動範囲を規制されている。座支持ブラケット１６は、取り付けられた座１２の座面１２ａが上方を向く第１の姿勢位置と、取り付けられた座１２の座面１２ａが後方を向く第２の姿勢位置とで回動を規制される。
【００２５】
また、ベースプレート１４の支軸１５は、座支持ブラケット１６の回動規制ブロック１７と座支持ブラケット１６のベース壁１６ａを貫通して椅子幅方向内側に突出している。ベース壁１６ａを貫通した支軸１５の先端部には、座支持ブラケット１６を跳ね上げ方向に付勢する捩りコイルばね１９の一端部が結合されている。捩りコイルばね１９の他端部は座支持ブラケット１６のベース壁１６ａに係止されている。座支持ブラケット１６に支持された座１２は、捩りコイルばね１９により、支軸１５を中心として上方に跳ね上げられる方向に付勢されている。
【００２６】
本実施形態の場合、背凭れ１１と座１２の各主要部は硬質樹脂によって一体に型成形されている。
背凭れ１１は、椅子幅方向外側の両側の端面に下端部から上下方向の略中間部に亘る凹溝２１が形成されている。この凹溝２１には側部フレーム１３の背凭れ支持部１３ｂが嵌合されている。また、背凭れ支持部１３ｂの上端部には、椅子幅方向内側に向かって屈曲する内向きフランジ２２が延設されている。背凭れ支持部１３ｂは、背凭れ１１の凹溝２１に嵌合された状態において、内向きフランジ２２が背凭れ１１の背面に締結固定されている。
【００２７】
また、支持構造体２０には、座支持ブラケット１６の椅子幅方向外側を覆う樹脂製のカバー部材２３が組み付けられている。カバー部材２３は、座支持ブラケット１６の側面視形状とほぼ合致する側面視形状に形成されている。また、カバー部材２３の長手方向の一端部側には、ベースプレート１４のストッパ突起１８と座支持ブラケット１６の回動規制ブロック１７の周域を覆う環状壁２３ａが設けられている。カバー部材２３はストッパ突起１８と回動規制ブロック１７の周域を環状壁２３ａで取り囲んだ状態において、座支持ブラケット１６の椅子幅方向外側を覆うようになっている。
【００２８】
ここで、座支持ブラケット１６のベース壁１６ａは、前述のように台形状の側面視形状に形成されているが、より正確には、第１の姿勢位置にあるときに、前側に位置される辺１６ａ−１と後側に位置される辺１６ａ−２とが略平行になり、かつ、上側に位置される辺１６ａ−３と下側に位置される辺１６ａ−４の離間幅が前方側に向かって次第に狭まる形状とされている。
【００２９】
座支持ブラケット１６は、ベース壁１６ａの下側の辺１６ａ−４に椅子幅方向内側に向かって延出する内向きフランジ３０が連設されている。また、ベース壁１６ａの後側の辺１６ａ−２には、椅子幅方向内側に向かって多段に屈曲する屈曲壁１６ｂが連設されている。ベース壁１６ａには、図２に示すように、複数のボルト挿通孔３１が形成されている。ボルト挿通孔３１には、座支持ブラケット１６を座１２の椅子幅方向外側の端部に締結固定するためのボルト３２が挿入されるようになっている。
【００３０】
座１２は、椅子幅方向外側の両側の端面に、椅子幅方向外側に向かって開口する凹部２４が設けられている。凹部２４は、座面１２ａを上方に向けた姿勢の座１２の後端部から前端部の近傍部に亘る領域に形成されている。また、凹部２４は、座面１２ａを上方に向けた姿勢の座１２において、座面１２ａに略沿って延びる天井壁２５と、天井壁２５の前端部側に連設される端部壁２６と、端部壁２６の下端に連設される底部壁２７と、を有している。底部壁２７の上面と天井壁２５の下面とは相互に対向し、かつ両者の離間幅が端部壁２６の側に向かって（前方側に向かって）次第に狭まっている。
【００３１】
座１２の椅子幅方向外側の凹部２４には、対応する座支持ブラケット１６が嵌合可能とされている。座支持ブラケット１６は、座１２の凹部２４に嵌合された状態において、ベース壁１６ａの各辺１６ａ−３，１６ａ−１，辺１６ａ−４が、凹部２４の天井壁２５と端部壁２６と底部壁２７とにそれぞれ当接可能になる。天井壁２５は、座１２が座面１２ａを上方に向けた状態において、座支持ブラケット１６のベース壁１６ａの上側の辺１６ａ−３に当接することにより、座支持ブラケット１６によって座１２の下方変位を規制される。端部壁２６は、座１２が座面１２ａを上方に向けた状態において、座支持ブラケット１６のベース壁１６ａの前側の辺１６ａ−１に当接することにより、座支持ブラケット１６によって座１２の後方変位を規制される。
本実施形態においては、天井壁２５が下方変位規制部を構成し、端部壁２６が後方変位規制部を構成している。また、座支持ブラケット１６のベース壁１６ａは、凹部２４の側面視形状と略合致する側面視形状の座支持ブラケット１６の嵌合部を構成している。
【００３２】
また、座１２の凹部２４内には、底部壁２７の上面に連続するように挿入溝２８が形成されている。挿入溝２８には、座支持ブラケット１６が凹部２４に嵌合されるときに、座支持ブラケット１６の内向きフランジ３０が挿入されるようになっている。本実施形態の場合、挿入溝２８の内面２８ａ（座１２の座面１２ａが上方を向く状態で下方側を向く面）も、座支持ブラケット１６によって座１２の下方変位を規制される下方変位規制部を構成している。
【００３３】
また、座１２の凹部２４は、座面１２ａを上方に向けた座１２の後部側のコーナ部分にも回り込んで形成されている。この凹部２４の回り込み部分２４Ａには、座支持ブラケット１６の屈曲壁１６ｂが嵌合されるようになっている。座支持ブラケット１６の屈曲壁１６ｂは、凹部２４内の回り込み部分２４Ａの後面２４Ａ−１に当接することにより、座の後方側への変位を規制する。屈曲壁１６ｂは、回り込み部分２４Ａの後面２４Ａ−１（当接面）に対してビスやクリップ止め等の係止手段によって固定可能とされている。本実施形態の場合、回り込み部分２４Ａの後面２４Ａ−１も、座の後方変位を規制する後方変位規制部を構成している。
【００３４】
次に、本実施形態に係る椅子１０の座１２の組付けの一例について説明する。
背凭れ１１の椅子幅方向の両端部には、一対の支持構造体２０の側部フレーム１３を予め取り付けておく。そして、各支持構造体２０の側部フレーム１３の下端は、梁部材２上の設定位置に固定しておく。
なお、この状態において、各支持構造体２０のカバー部材２３は、ベースプレート１４と座支持ブラケット１６の連結部に環状壁２３ａを係止させて、座支持ブラケット１６の外側を覆うカバー本体部を下方に垂らしておく。つまり、座支持ブラケット１６の外側の主要部分がカバー部材２３によって覆われない状態にしておく。
【００３５】
この状態において、各支持構造体２０の座支持ブラケット１６を、捩りコイルばね１９の力に抗して前方に倒して第１の姿勢位置にする。
この状態において、座１２を座面１２ａが上方を向く姿勢にして、一対の支持構造体２０の座支持ブラケット１６の間の前方位置に配置し、座１２の椅子幅方向両側の凹部２４に座支持ブラケット１６が挿入されるように、座１２を後方に変位させる。
【００３６】
図７は、座面１２ａを上方に向けた状態で座１２を座支持ブラケット１６に組み付けるときの様子を模式的に示した椅子１０の側面図である。なお、図７においては、座支持ブラケット１６と座１２の主要部が実施線で示され、その他の部分が仮想線で示されている。また、図７においては、座支持ブラケット１６の屈曲壁１６ｂとカバー部材２３は省略されている。
図７に示すように、第１の姿勢位置にある座支持ブラケット１６に対して座１２を後方側に変位させると、左右の各座支持ブラケット１６が座１２の凹部２４に前端部側から次第に挿入されるようになる。このとき、前方側に向かって上下幅が狭まった座支持ブラケット１６が凹部２４の天井壁２５と底部壁２７とにガイドされつつ凹部２４内に挿入される。
【００３７】
こうして、座支持ブラケット１６の前端部が座１２の凹部２４に所定量挿入されたところで、各凹部２４の挿入溝２８内に座支持ブラケット１６の内向きフランジ３０を挿入させる。この後、座１２をさらに後方に変位させると、内向きフランジ３０が挿入溝２８の内面２８ａと摺接するようになる。この結果、座１２は、座支持ブラケット１６の内向きフランジ３０によって下方変位を規制されるようになる。座１２がさらに後方に変位すると、座支持ブラケット１６のベース壁１６ａの上側の辺１６ａ−３が凹部２４の天井壁２５の下面に次第に近接する。こうして、ベース壁１６ａの上側の辺１６ａ−３が天井壁２５の下面に近接して天井壁２５が辺１６ａ−３に当接したときには、座支持ブラケット１６のベース壁１６ａによっても座１２の下方変位が規制されることになる。
【００３８】
こうして、座１２が所定量後方に変位すると、座支持ブラケット１６のベース壁１６ａの前側の辺１６ａ−１が、座１２の凹部２４内の端部壁２６に当接するとともに、座支持ブラケット１６の屈曲壁１６ｂ（図２参照）が、座１２の凹部２４後方の回り込み部分２４Ａの後面２４Ａ−１に当接する。これにより、座１２の後方変位が規制される。このとき、座１２は、座支持ブラケット１６に対して上下方向と前後方向に位置決めされる。座支持ブラケット１６は、この状態において、ベース壁１６ａ部分がボルト３２によって座１２の椅子幅方向外側の端部に締結固定されるとともに、屈曲壁１６ｂ部分が座１２の後部に係止手段によって固定される。
【００３９】
座１２が、こうして左右の座支持ブラケット１６に結合されると、この後に左右の支持構造体２０のカバー部材２３を前部上方側に回動変位させて、座１２の左右の凹部２４に嵌合する。これにより、座１２の左右の凹部２４と、その内部の座支持ブラケット１６がカバー部材２３によって覆われることになる。
【００４０】
以上では、座支持ブラケット１６を、捩りコイルばね１９の力に抗して前方に倒して第１の姿勢位置にして、その状態で座１２を組み付ける場合について説明したが、座支持ブラケット１６を上方に跳ね上げた第２の姿勢位置にして、その状態で座１２を組み付けることも可能である。
【００４１】
図８は、座支持ブラケット１６を第２の姿勢位置にし、座面１２ａを後方に向けた状態で座１２を座支持ブラケット１６に組み付けるときの様子を模式的に示した椅子１０の側面図である。なお、図８においては、図７と同様に、座支持ブラケット１６の屈曲壁１６ｂとカバー部材２３が省略されている。
図８に示すように、座支持ブラケット１６を第２の姿勢位置にして、座１２を対応する座支持ブラケット１６に組み付ける場合には、座１２を下方に変位させることにより、座１２の椅子幅方向両側の凹部２４に、対応する座支持ブラケット１６の先端部を挿入する。このときも座支持ブラケット１６の内向きフランジ３０は凹部２４内の挿入溝２８に挿入され、支持ブラケット１６のベース壁１６ａの辺１６ａ−３は凹部２４の天井壁２５に次第に近接するようになる。
【００４２】
そして、座１２が所定量下方に変位すると、座支持ブラケット１６の先端側の辺１６ａ−１が凹部２４の端部壁２６に当接するとともに、座支持ブラケット１６の屈曲壁１６ｂ（図２参照）が、座１２の凹部２４後方の回り込み部分２４Ａの後面２４Ａ−１に当接する。これにより、座１２の下方変位が規制される。各座支持ブラケット１６は、この状態において座１２に結合される。
【００４３】
以上のように、本実施形態に係る椅子１０においては、座１２の椅子幅方向外側の端部の凹部２４に座支持ブラケット１６が嵌合されることにより、凹部２４の下方変位規制部（天井壁２５や挿入溝２８の内面２８ａ）が座支持ブラケット１６と当接して、座面１２ａを上方に向けた姿勢の座１２の下方変位を規制することができる。このため、組付け作業者が座１２を大きな力で支えることなく、座支持ブラケット１６の位置を椅子幅方向外側から目視確認しつつ、座支持ブラケット１６を座１２に容易に結合することができる。したがって、本実施形態に係る椅子１０を採用した場合には、支持構造体２０に対する座１２の組付け作業性を良好にすることができる。
【００４４】
また、本実施形態に係る椅子１０においては、座面１２ａを上方に向けた姿勢の座１２の後方変位を、座支持ブラケット１６によって規制される後方変位規制部（端部壁２６や回り込み部分２４Ａの後面２４Ａ−１）が凹部２４に設けられている。このため、支持構造体２０に対する座１２の組み付け時に、座１２の前後位置を容易に位置決めすることができる。したがって、本実施形態に係る椅子１０を採用した場合には、座支持ブラケット１６と座１２を前後方向でも位置決めして、座１２を座支持ブラケット１６により容易に結合することができる。
【００４５】
さらに、本実施形態に係る椅子１０の場合、座１２の凹部２４は、座１２の座面１２ａが上方に向く状態において、座支持ブラケット１６の上側の辺１６ａ−３と当接可能な天井壁２５と、天井壁２５の前方側に連設されて座支持ブラケット１６の前側の辺１６ａ−１と当接可能な端部壁２６と、を有しており、天井壁２５が下方変位規制部を構成し、端部壁２６が後方変位規制部を構成している。したがって、本実施形態の場合、下方変位規制部と後方変位規制部とが略Ｌ字状に連続した一体構造となるため、下方変位規制部と後方変位規制部とを堅牢な構造とすることができる。
【００４６】
また、本実施形態に係る椅子１０は、座１２の凹部２４が、天井壁２５と端部壁２６と底部壁２７に囲まれて構成され、底部壁２７と天井壁２５の離間幅が端部壁２６側に向かって狭まる側面視形状とされるとともに、座支持ブラケット１６のベース壁１６ａが凹部２４の側面視形状と略合致する側面視形状とされている。このため、座１２を座支持ブラケット１６に組み付けるときには、座１２の凹部２４に座支持ブラケット１６が先端部から挿入されることにより、凹部２４の天井壁２５と底部壁２７に対する座支持ブラケット１６の離間幅が次第に狭まる。したがって、座１２の組付け時には、座支持ブラケット１６を座１２の凹部２４内の適正な位置に容易に誘導することができる。
また、座１２を座支持ブラケット１６から取り外すときには、座１２の凹部２４から座支持ブラケット１６の先端部が引き離されることにより、凹部２４の天井壁２５と底部壁２７に対する座支持ブラケット１６の離間幅が次第に拡がる。したがって、座１２の取り外し時には、座１２を座支持ブラケット１６から容易に取り外すことができる。
【００４７】
また、本実施形態に係る椅子１０の場合、座支持ブラケット１６が側部フレーム１３に椅子幅方向に沿う支軸１５を中心として回動可能に支持され、その座支持ブラケット１６が、先端部が前方を向く第１の姿勢位置と、先端部が上方を向く第２の姿勢位置において回動規制されるようになっている。そして、座支持ブラケット１６が第１の姿勢位置にあるときには、凹部２４内の下方変位規制部（天井壁２５や挿入溝２８の内面２８ａ）が座支持ブラケット１６に当接することにより、座１２の下方変位を規制され、座支持ブラケット１６が第２の姿勢位置にあるときには、凹部２４内の後方変位規制部（端部壁２６や回り込み部分２４Ａの後面２４Ａ−１）が座支持ブラケット１６に当接することにより、座１２の下方変位を規制されるようになっている。
したがって、本実施形態に係る椅子１０においては、座支持ブラケット１６が第１の姿勢位置と第２の姿勢位置のいずれの位置にあるときにも、座１２を下方から大きな力で支えることなく、座１２を座支持ブラケット１６に対して容易に組み付けることができる。
【００４８】
さらに、本実施形態に係る椅子１０においては、座支持ブラケット１６が座１２の椅子幅方向外側の端面に略沿って起立するベース壁１６ａと、ベース壁１６ａから椅子幅方向内側に向かって延出する内向きフランジ３０と、を有し、座１２の凹部２４内に、内向きフランジ３０が挿入される挿入溝２８が形成されている。そして、挿入溝２８の下方に向く内面２８ａが下方変位規制部を構成している。このため、座面１２ａを上方に向けた姿勢の座１２を座支持ブラケット１６に取り付けるときに、座支持ブラケット１６の内向きフランジ３０を凹部２４内の挿入溝２８に挿入することにより、座１２の下方変位を容易に規制することができる。
【００４９】
なお、本発明は上記の実施形態に限定されるものではなく、その要旨を逸脱しない範囲で種々の設計変更が可能である。例えば、上記の実施形態においては、座支持ブラケット１６の内向きフランジ３０が挿入溝２８の内面２８ａに当接し、かつ、ベース壁１６の上側の辺１６ａ−３が天井壁２５の下面に当接するようになっているが、ベース壁１６の上側の辺１６ａ−３は必ずしも天井壁２５の下面に当接しなくても良い。また、上記の実施形態においては、凹部２４が座１２の椅子幅方向外側の端部に形成されているが、凹部２４は、座１２の椅子幅方向外側の端部よりも内側位置において、椅子幅方向外側に向かって開口するように形成しても良い。
さらに、上記の実施形態においては、下方変位規制部を構成する天井壁２５と、同じく下方変位規制部を構成する挿入溝２８の内面２８ａがそれぞれ設けられているが、これらはいずれか一方のみ設けるようにしても良い。また、上記の実施形態においては、後方変位規制部を構成する端部壁２６と、同じく後方変位規制部を構成する凹部２４の回り込み部分２４Ａの後面２４Ａ−１がそれぞれ設けられているが、これらもいずれか一方のみ設けるようにしても良い。
【符号の説明】
【００５０】
１０  椅子
１２  座
１２ａ  座面
１３  側部フレーム（本体部）
１６  座支持ブラケット（座支持部材）
１６ａ  ベース壁（嵌合部）
１６ｂ  屈曲壁
２０  支持構造体
２４  凹部
２４Ａ−１  後面（当接面，後方変位規制部）
２５  天井壁（下方変位規制部）
２６  端部壁（後方変位規制部）
２７  底部壁
２８  挿入溝
２８ａ  内面（下方変位規制部）
３０  内向きフランジ
【図１】
2018033590.tif 000003
【図２】
2018033590.tif 000004
【図３】
2018033590.tif 000005
【図４】
2018033590.tif 000006
【図５】
2018033590.tif 000007
【図６】
2018033590.tif 000008
【図７】
2018033590.tif 000009
【図８】
2018033590.tif 000010